(57)【要約】【課題】商品を確実に保護しつつ、封緘作業の効率化を図ることができ、開封も容易なヘッダー付包装箱を提供する。【解決手段】前板１、一対の側板２、後板３及び底板５を備え、後部上方に吊下片１０を有し、前板１の上縁から蓋板８及び差込片９を延出したヘッダー付包装箱において、差込片９に切目線１２を介して吊下片１０を連設し、吊下片１０から延出した背当片１１に横方向の切裂帯１５を設け、吊下片１０を後方へ折り重ね、背当片１１を切裂帯１５の下方で後板３の外面に貼り付ける。封緘時に箱の内側で糊貼りする必要がなく、切裂帯１５を切断すると容易に開封することができ、切目線１２を切断して吊下片１０を除去すると、差込片９を箱内に差し込んで再封緘することができる。【選択図】　図２
2004099104.tif 000002
【特許請求の範囲】
【請求項１】
前板１、一対の側板２、後板３及び底板５を備え、後部上方に吊下片１０を有し、前板１の上縁から蓋板８及び差込片９を延出したヘッダー付包装箱において、前記差込片９に切目線１２を介して吊下片１０を連設し、吊下片１０から延出した背当片１１に横方向の切裂帯１５を設け、吊下片１０を後方へ折り重ね、背当片１１を切裂帯１５の下方で後板３の外面に貼り付けたことを特徴とするヘッダー付包装箱。
【発明の詳細な説明】
【０００１】
【発明の属する技術分野】
この発明は、商品を収納し、店頭で吊り下げて陳列するヘッダー付包装箱に関するものである。
【０００２】
【従来の技術】
従来、図９に示すように、前板５１、一対の側板５２、後板５３及び底板５４を備え、後板５３から上方に延長した吊下片５５に吊下穴５６を設け、前板５１の上縁から延長した蓋板５７の差込片５８を、側板５２の上縁から延出した蓋受片５９の後方に差し込んで封緘するヘッダー付包装箱が使用されている。
【０００３】
このような包装箱では、収納する商品がプリンタ用写真紙など、比較的高価なものである場合、商品のすり替えや抜き取り等のいたずらを防止するため、差込片５８を後板５３の内面側へホットメルト接着剤により貼り付けている。
【０００４】
【発明が解決しようとする課題】
しかしながら、このような内面側への貼り付けは作業上難しく、接着剤が糸を引いて外見を損ねたり、商品に付着したりするという問題がある。また、開封が難しいという問題もある。
【０００５】
そこで、この発明は、商品を確実に保護しつつ、封緘作業の効率化を図ることができ、開封も容易なヘッダー付包装箱を提供することを課題とする。
【０００６】
【課題を解決するための手段】
上記課題を解決するため、この発明に係るヘッダー付包装箱では、前板の上縁から延びる蓋板先端の差込片に切目線を介して吊下片を連設し、吊下片から延出した背当片に横方向の切裂帯を設け、吊下片を後方へ折り重ね、背当片を切裂帯の下方で後板の外面に貼り付けることとしたのである。
【０００７】
このように構成すると、封緘時に箱の内側で糊貼りする必要がないので、作業性が向上すると共に、商品への接着剤の付着や接着剤の糸引きが防止される。
【０００８】
また、切裂帯を切断すると、容易に開封することができ、切目線を切断して吊下片を除去すると、差込片を箱内に差し込んで再封緘することができる。
【０００９】
【発明の実施の形態】
まず、この発明の第１実施形態を図１乃至図４に基づいて説明する。
【００１０】
このヘッダー付包装箱のブランクでは、図１に示すように、前板１の一側に側板２、後板３及び側板２が順次連設され、他側に継代片４が連設されている。前板１及び後板３の下縁には底板５が、側板２の下縁には底片６がそれぞれ連設され、側板２の上縁には蓋受片７が連設されている。前板１の上縁には、蓋板８、差込片９、吊下片１０及び背当片１１が順次連設されている。
【００１１】
吊下片１０には、差込片９との境界をなすミシン目状の切目線１２に臨んで差込片９と対称な延長部１３が設けられ、その上方に折目を挟んで対称に吊下穴１４が形成されている。背当片１１には、鉤形の切目が断続するジッパ形の切裂帯１５が横方向に設けられている。
【００１２】
上記のようなブランクを組み立てるには、図２に示すように、前板１、一対の側板２及び後板３を角筒状に折り曲げ、継代４を反対側の側板２に貼り付けて周壁を形成し、底板５と底片６の貼り合わせにより底面を閉止する。
【００１３】
そして、商品を箱内に収納した後、蓋受片７を内側へ折り曲げ、差込片９と延長部１３とを切目線１２に沿って谷折しつつ箱内に差し込んで蓋板８を閉じ、吊下片１０を後方へ折り重ねて貼り合わせ、背当片１１を切裂帯１５の下方の貼着部ａでホットメルト接着剤により後板３の外面に貼り付ける。
【００１４】
このように封緘すると、従来のヘッダー付包装箱のように、箱の内側で糊貼りする必要がないので、作業性が向上すると共に、商品への接着剤の付着や接着剤の糸引きが防止される。
【００１５】
また、この包装箱は、切裂帯１５を切断すると、図３に示すように、容易に開封することができ、切目線１２を切断して吊下片１０を除去すると、図４に示すように、差込片９を箱内に差し込んで再封緘することができる。
【００１６】
次に、この発明の第２実施形態を、図５乃至図８に基づいて、上記第１実施形態との相違点を中心に説明する。
【００１７】
このヘッダー付包装箱のブランクでは、図５に示すように、ヘッダー部分の構成が上記第１実施形態のものとは異なっており、図１に示すような吊下片１０の延長部１３はなく、蓋板８の先端と吊下穴１４の下縁との間に差込片９が設けられている。
【００１８】
このブランクから成る包装箱を封緘する際には、図６に示すように、差込片９を箱内に差し込むことなく、吊下片１０を蓋板８から起こして後方へ折り重ね、背当片１１を切裂帯１５の下方の貼着部ａでホットメルト接着剤により後板３の外面に貼り付ける。この封緘作業は、機械で容易に行える。
【００１９】
このように封緘すると、従来のヘッダー付包装箱のように、箱の内側で糊貼りする必要がないので、作業性が向上すると共に、商品への接着剤の付着や接着剤の糸引きが防止される。
【００２０】
また、この包装箱は、切裂帯１５を切断すると、図７に示すように、容易に開封することができ、切目線１２を切断して吊下片１０を除去すると、図８に示すように、差込片９を箱内に差し込んで再封緘することができる。
【００２１】
【発明の効果】
以上のように、この発明に係る包装箱では、前板の上縁から延びる蓋板先端の差込片に吊下片を連設し、吊下片を後方へ折り重ね、吊下片から延びる背当片を後板の外面に貼り付けることとしたので、容易に封緘でき、商品への接着剤の付着や接着剤の糸引きが防止され、美観に優れた包装が可能となる。
【００２２】
また、差込片と吊下片との間に切目線を入れ、吊下片から延出した背当片に横方向の切裂帯を設け、その下方で吊下片を後板に貼着することとしたので、切裂帯を切断すると、容易に開封でき、切目線を切断して吊下片を除去すると、差込片を箱内に差し込んで再封緘することができる。
【図面の簡単な説明】
【図１】この発明に係るヘッダー付包装箱の第１実施形態のブランクを示す図
【図２】同上の封緘状態を示す後方からの斜視図
【図３】同上の開封状態を示す後方からの斜視図
【図４】同上の再封緘状態を示す後方からの斜視図
【図５】この発明に係るヘッダー付包装箱の第２実施形態のブランクを示す図
【図６】同上の封緘状態を示す後方からの斜視図
【図７】同上の開封状態を示す後方からの斜視図
【図８】同上の再封緘状態を示す後方からの斜視図
【図９】従来のヘッダー付包装箱を示す斜視図
【符号の説明】
１　前板
２　側板
３　後板
５　底板
８　蓋板
９　差込片
１０　吊下片
１１　背当片
１２　切目線
１５　切裂帯
【図１】
2004099104.tif 000003
【図２】
2004099104.tif 000004
【図３】
2004099104.tif 000005
【図４】
2004099104.tif 000006
【図５】
2004099104.tif 000007
【図６】
2004099104.tif 000008
【図７】
2004099104.tif 000009
【図８】
2004099104.tif 000010
【図９】
2004099104.tif 000011